(57)【要約】【課題】  スーパーＲＥＮＳディスクの再生信号から低域ノイズを除去して記録マークの正しい再生を行うことのできる光ヘッド装置を提供する。【解決手段】  出力されたレーザ光を３ビームにする回折格子と、レーザ光を光ディスクの記録面に集光させる対物レンズと、光ディスクからの反射光を検出する光センサと、レーザ光を前記レーザ出力手段から前記対物レンズまで導くとともに前記反射光を前記光センサまで導く複数の光学部品と、レーザ光を第１ビームと当該第１ビームより強度の低い第２ビームとに分離するビームスプリッタとを備え、光センサには、回折格子とビームスプリッタにより分離された０次回折光の第１ビームＳ０１および第２ビームＳ０２の反射光をそれぞれ検出する第１受光面および第２受光面と、回折格子により分離された２つの１次回折光Ｓ１１，Ｓ２１の反射光を検出する第３受光面および第４受光面とが形成されている。【選択図】        図２
2006244597.tif 000002
【特許請求の範囲】
【請求項１】
反射光の信号対雑音比が入射レーザのパワーに対して非線形特性を有する光ディスクを対象にデータの記録又は再生を行う光ヘッド装置において、
レーザ光を出力するレーザ出力手段と、
出力されたレーザ光を複数ビームにする回折格子と、
前記レーザ光を光ディスクの記録面に集光させる対物レンズと、
光ディスクからの反射光を検出する光センサと、
レーザ光を前記レーザ出力手段から前記対物レンズまで導くとともに前記反射光を前記光センサまで導く複数の光学部品と、
前記レーザ出力手段から前記対物レンズまでの光路上に設けられ、レーザ光を第１ビームと当該第１ビームより強度が１／５〜１／２０の第２ビームとに分離する透明平板多重反射ビームスプリッタと、を備え、
前記回折格子と前記透明平板多重反射ビームスプリッタとにより分離された０次回折光の第１ビームおよび第２ビームは光ディスクのデータが記録される同一のデータライン上に照射され、前記回折格子により分離された１次回折光は前記データラインを外れた近傍位置に照射され、
前記光センサには、前記０次回折光の第１ビームと前記第２ビームの反射光をそれぞれ検出する第１受光面および第２受光面と、２つの前記１次回折光の反射光をそれぞれ検出する第３受光面および第４受光面とが形成され、
さらに、前記０次回折光の第１ビームのセンサ信号或いは第２ビームのセンサ信号に遅延を与える遅延回路と、
何れか一方に遅延が与えられた前記０次回折光の第１ビームのセンサ信号と第２ビームのセンサ信号とを引き算することで前記０次回折光の第１ビームのセンサ信号から低域ノイズを低減した信号を出力する演算回路と、
を備えていることを特徴とする非線形光ディスクの光ヘッド装置。
【請求項２】
反射光の信号対雑音比が入射レーザのパワーに対して非線形特性を有する光ディスクを対象にデータの記録又は再生を行う光ヘッド装置において、
レーザ光を出力するレーザ出力手段と、
出力されたレーザ光を複数ビームにする回折格子と、
前記レーザ光を光ディスクの記録面に集光させる対物レンズと、
光ディスクからの反射光を検出する光センサと、
レーザ光を前記レーザ出力手段から前記対物レンズまで導くとともに前記反射光を前記光センサまで導く複数の光学部品と、
前記レーザ出力手段から前記対物レンズまでの光路上に設けられ、レーザ光を第１ビームと当該第１ビームより強度の低い第２ビームとに分離するビームスプリッタとを備え、
前記光センサには、前記回折格子と前記ビームスプリッタにより分離された０次回折光の前記第１ビームおよび前記第２ビームの反射光をそれぞれ検出する第１受光面および第２受光面と、前記回折格子により分離された２つの１次回折光の反射光を検出する第３受光面および第４受光面とが形成されている、
ことを特徴とする非線形光ディスクの光ヘッド装置。
【請求項３】
反射光の信号対雑音比が入射レーザのパワーに対して非線形特性を有する光ディスクを対象にデータの記録又は再生を行う光ヘッド装置において、
レーザ光を出力するレーザ出力手段と、
前記レーザ光を光ディスクの記録面に集光させる対物レンズと、
光ディスクからの反射光を検出する光センサと、
レーザ光を前記レーザ出力手段から前記対物レンズまで導くとともに前記反射光を前記光センサまで導く複数の光学部品と、
前記レーザ出力手段から前記対物レンズまでの光路上に設けられ、レーザ光を第１ビームと該第１ビームより強度の低い第２ビームとに分離するビームスプリッタとを備え、
前記第１ビームと第２ビームとが前記対物レンズにより光ディスクの記録面に集光されるとともに、これら第１ビームと第２ビームの反射光が前記光センサによりそれぞれ検出されて、前記第２ビームのセンサ信号に基づき前記第１ビームのセンサ信号の低域ノイズが低減されるように構成されていることを特徴とする非線形光ディスクの光ヘッド装置。
【請求項４】
前記ビームスプリッタは、レーザ光の光軸に対して斜めに配置された透明平板により構成され、この透明平板内での多重反射により前記第２ビームを分離生成することを特徴とする請求項２又は３に記載の非線形光ディスクの光ヘッド装置。
【請求項５】
前記０次回折光の第１ビームおよび第２ビームは光ディスクのデータが記録される同一のデータライン上に照射され、前記２つの１次回折光は前記データラインを外れた近傍位置に照射されることを特徴とする請求項２記載の非線形光ディスクの光ヘッド装置。
【請求項６】
前記第２ビームのセンサ信号又は前記第１ビームのセンサ信号に遅延を与える遅延回路と、
何れか一方に遅延が与えられたこれらのセンサ信号を引き算する演算回路とを備えていることを特徴とする請求項２〜５の何れかに記載の非線形光ディスクの光ヘッド装置。
【請求項７】
前記ビームスプリッタは、第１ビームに対する第２ビームの強度比が１／５〜１／２０になるようにこれら第１ビームと第２ビームとを分離することを特徴とする請求項２〜６の何れかに記載の非線形光ディスクの光ヘッド装置。
【請求項８】
前記ビームスプリッタは、入射面と出射面とのなす角度が０．１度以下の平板形状であることを特徴とする請求項１〜７の何れかに記載の非線形光ディスクの光ヘッド装置。
【請求項９】
前記光ディスクは超解像近接場構造ディスクであることを特徴とする請求項１〜８の何れかに記載の非線形光ディスクの光ヘッド装置。
【発明の詳細な説明】
【技術分野】
【０００１】
この発明は、例えば超解像近接場構造ディスクなど、再生信号の信号対雑音比に非線形特性を有する光ディスクを対象にデータの記録又は再生を行う光ヘッド装置に関する。
【背景技術】
【０００２】
近年、近接場光を利用することで、記録面により微小な記録マークを形成してデータの記録再生を行うスーパーＲＥＮＳ（Super-Resolution Near-field Structure：超解像近接場構造）ディスクと呼ばれる光ディスクが開発されている。
【０００３】
スーパーＲＥＮＳディスクにおいては、レーザ光が記録層に達するまでにある程度のレーザパワーが必要であるため、再生信号の信号対雑音比（ＣＮＲ：Carrier to Noise ratio）がレーザパワーに対して非線形の特性を有し、レーザパワーが低い状態では再生信号のＣＮＲが非常に小さくなることが知られている。
【０００４】
ところで、光ディスクの記録再生装置の分野において、１つのレーザ光を複数のビームにして光ディスクに照射したり、分光された複数のビームを光センサの複数の受光面で検出して光ヘッドの誤差精度を向上させる技術が、以前より提案されている。
【０００５】
例えば、特許文献１には光センサの前段で３ビームをＳ波とＰ波に分離して６ビームにして受光する技術が記載されている。特許文献２には光センサの前段で３ビームを６ビームにして受光することでクロストークの低減を図る技術が記載されている。また、特許文献３には複数ビームを光ディスクに照射する際に高次回折光の干渉が生じないようにする技術が記載されている。また、特許文献４には５個の光スポットを光ディスクに照射することで光ヘッドの誤差精度を向上する技術が記載されている。
【特許文献１】特開平０６−２０３４２２号公報
【特許文献２】特開平１１−１１０８１１号公報
【特許文献３】特開２００３−２０３３６９号公報
【特許文献４】特許第３０３１８４１号公報
【発明の開示】
【発明が解決しようとする課題】
【０００６】
上述のスーパーＲＥＮＳディスクにおいては、再生信号に振幅の大きな低域ノイズが現れる場合があり、このような場合には、記録マークを再生するＨｉ−Ｌｏの信号が振幅の大きな低域ノイズに包含されて（Envelop特性と呼ばれる）、記録マークの正しい再生が行えなくなってしまう。
【０００７】
この発明の目的は、スーパーＲＥＮＳディスクのように信号対雑音比に非線形特性を有する光ディスクを対象にデータの記録再生を行う光ヘッド装置において、再生信号に低域ノイズが現れる場合でもこの低域ノイズを除去して記録データの正しい再生を行うことのできる光ヘッド装置を提供することにある。
【課題を解決するための手段】
【０００８】
本発明は、上記目的を達成するため、反射光の信号対雑音比が入射レーザのパワーに対して非線形特性を有する光ディスク（例えば、超解像近接場構造ディスク）を対象にデータの記録又は再生を行う光ヘッド装置において、レーザ光を出力するレーザ出力手段と、出力されたレーザ光を複数ビームにする回折格子と、前記レーザ光を光ディスクの記録面に集光させる対物レンズと、光ディスクからの反射光を検出する光センサと、レーザ光を前記レーザ出力手段から前記対物レンズまで導くとともに前記反射光を前記光センサまで導く複数の光学部品と、前記レーザ出力手段から前記対物レンズまでの光路上に設けられ、レーザ光を第１ビームと当該第１ビームより強度の低い第２ビームとに分離するビームスプリッタとを備え、前記光センサには、前記回折格子と前記ビームスプリッタにより分離された０次回折光の前記第１ビームおよび前記第２ビームの反射光をそれぞれ検出する第１受光面および第２受光面と、前記回折格子により分離された２つの１次回折光の反射光を検出する第３受光面および第４受光面とが形成されている構成とした。
【０００９】
このような手段によれば、再生信号に大きな低域ノイズが現れる光ディスクであっても、０次回折光の第２ビームのセンサ信号により低域ノイズを表わす信号を抽出することが出来る。そして、０次回折光の第１ビームのセンサ信号から上記の低域ノイズを表わす信号を差し引くことで、低域ノイズの除去された再生信号（ＲＦ信号）を得ることが出来る。加えて、０次回折光の第１ビームのセンサ信号や１次回折光の第１ビームのセンサ信号により、例えば非点収差法や差動プッシュプル法など公知の種々の方法を用いて、フォーカス誤差信号やトラッキング誤差信号を得ることが出来る。
【００１０】
また、本発明は上記目的を達成するため、反射光の信号対雑音比が入射レーザのパワーに対して非線形特性を有する光ディスク（例えば、超解像近接場構造ディスクで）を対象にデータの記録又は再生を行う光ヘッド装置において、レーザ光を出力するレーザ出力手段と、前記レーザ光を光ディスクの記録面に集光させる対物レンズと、光ディスクからの反射光を検出する光センサと、レーザ光を前記レーザ出力手段から前記対物レンズまで導くとともに前記反射光を前記光センサまで導く複数の光学部品と、前記レーザ出力手段から前記対物レンズまでの光路上に設けられ、レーザ光を第１ビームと該第１ビームより強度の低い第２ビームとに分離するビームスプリッタとを備え、前記第１ビームと第２ビームとが前記対物レンズにより光ディスクの記録面に集光されるとともに、これら第１ビームと第２ビームの反射光が前記光センサによりそれぞれ検出されて、前記第２ビームのセンサ信号に基づき前記第１ビームのセンサ信号の低域ノイズが低減される構成とした。
【００１１】
このような手段により、再生信号に低域ノイズが現れる光ディスクであっても、第２ビームのセンサ信号によりその低域ノイズを除去して正しい記録データを再生することが出来る。
【００１２】
具体的には、前記ビームスプリッタはレーザ光の光軸に対して斜めに配置された透明平板により構成され、この透明平板内での多重反射により前記第２ビームを分離生成する構成とした。
【００１３】
この構成によれば、平行光線を２つの平行光線に分離させ、分離させた２つのビーム間隔を非常に小さく設定することが容易なものとなる。さらに、板面を適切な光学特性を有するように形成することで第２ビームの強度比も容易に所望のものにすることが出来る。つまり、上記ビームスプリッタの構成により、光ディスクの記録面にて第１ビームと僅かに離れた位置に照射され、ほどよくビーム強度の低い第２ビームを容易に生成することが出来るという効果が奏される。
【００１４】
また具体的には、前記０次回折光の第１ビームおよび第２ビームは光ディスクのデータが記録される同一のデータライン上に照射され、前記２つの１次回折光は前記データラインを外れた近傍位置に照射されるように構成すると良い。
【００１５】
この構成により、０次回折光の第２ビームの反射光により、０次回折光の第１ビームの反射光に現れる低域ノイズを検出することができ、さらに、上記のような２つの１次回折光の反射光によりトラッキング誤差信号等の生成を行うことが出来る。
【００１６】
望ましくは、前記第２ビームのセンサ信号又は前記第１ビームのセンサ信号に遅延を与える遅延回路と、何れか一方に遅延が与えられたこれらのセンサ信号を引き算する演算回路とを備えると良い。
【００１７】
この構成により、光ディスクの記録面に照射される第１ビームと第２ビームの距離間隔に相当する両センサ信号の時間のずれを上記遅延回路により小さくすることができ、さらに上記の演算回路により低域ノイズが除去された再生信号の出力を行うことが出来る。
【００１８】
また具体的には、前記ビームスプリッタは、第１ビームに対する第２ビームの強度比が１／５〜１／２０、さらに望ましくは１／８〜１／１２になるようにこれら第１ビームと第２ビームとを分離するように構成すると良い。このくらいの強度比とすることで、再生信号や誤差信号を生成する上で必要な第１ビームの強度も確保され、且つ、低域ノイズを検出する上で最適な第２ビームの強度を得ることが出来る。
【００１９】
また具体的には、前記ビームスプリッタは、入射面と出射面とのなす角度が０．１度以下（より具体的には０．０２度〜０．０８度、さらに具体的には０．０４度〜０．０６度）の平板形状である構成とした。
【００２０】
ビームスプリッタが完全な平行平板であれば、透過した第１ビームと、内部で多重反射して出てきた第２ビームとは完全な平行光となり、これらは対物レンズにより同一点に集束されてしまう。従って、第１ビームの光スポットと第２ビームの光スポットとを僅かに離間させるためには、ビームスプリッタにより第１ビームの光軸と第２ビームの光軸とに僅かな角度を与える必要があり、それを入射面と出射面とに僅かな角度を有する透明平板により実現することが出来る。
【００２１】
詳細には、第１ビームの光スポットと第２ビームの光スポットとを例えば４μｍなどの僅かな距離だけ離間させるためには、対物レンズの焦点距離を３．１ｍｍとすると、第１ビームの光軸と第２ビームの光軸のなす角度は例えば０．０３６度程度にする必要がある。さらに、この角度を生成するためには、透明平板（ビームスプリッタ）の屈折率を１．５とすると、その入射面と出射面とのなす角度は０．０４９度程度にする必要がある。この角度を人工的に生成するのは容易ではないが、この角度は、平行平板を作製する上で誤差として現れる値であるため、平行平板を作製して干渉測定により上記の角度を有する部分を見つけ出し、その部分をビームスプリッタとして用いることで実現することが出来る。
【発明の効果】
【００２２】
以上説明したように、本発明に従うと、記録面からの反射光に低域ノイズが発生する場合に、第２ビームのセンサ信号によりこの低域ノイズを検出して、再生信号から低域ノイズを除去することが出来るという効果がある。
【００２３】
また、第２ビームの生成に透明平板によるビームスプリッタを用いることで、低域ノイズを検出するのに最適なビームの分離を容易に行えるという効果がある。
【発明を実施するための最良の形態】
【００２４】
以下、本発明の実施の形態を図面に基づいて説明する。
【００２５】
図１は、本発明の実施の形態の光ヘッド装置１の光学系の構成を示す図、図２は、光ヘッド装置１により光ディスクに照射される光スポットを示す斜視図である。
【００２６】
この実施の形態の光ヘッド装置１は、近接場光をデータの記録再生に利用したスーパーＲＥＮＳディスクと呼ばれる光ディスクＤに対して、その記録面にレーザ光を照射してデータの記録と再生とを行うものである。光ヘッド装置１には、光学系構成として、レーザ出力手段としての半導体レーザ１０と、３ビームを形成するための回折格子１１と、進行ビームと光ディスクＤからの反射ビームとを分離する偏光ビームスプリッタ１２と、半導体レーザ１０からの放射光を平行光線にするコリメータレンズ１３と、進行ビームと反射ビームの偏光の向きを９０度回転させて偏光ビームスプリッタ１２での分離効率を上げる１／４波長板１４と、低域ノイズを検出するための進行ビームを２つに分離する透明平板多重反射ビームスプリッタ１５と、光ディスクＤ側にレーザ光を立ち上げる立上げミラー１６と、光ディスクの記録面へレーザ光を集光させる対物レンズ１７と、反射ビームに非点収差を及ぼす検出レンズ１８と、反射ビームの検出を行う光センサ１９等が設けられている。
【００２７】
上記の回折格子１１は、半導体レーザ１０から出射されたレーザ光を０次回折光と２個の１次回折光とにより３ビームを生成するものである。図２に示すように、これら３ビームは、光ディスクＤのデータトラックに対して斜めに照射され、０次回折光（Ｓ０１，Ｓ０２）は光ディスクのグルーブＧ（データマークの形成されるデータ溝）に、１次回折光（Ｓ１１，Ｓ１２，Ｓ２１，Ｓ２２）はデータ溝から外れた隣接するランドＬに照射されるようになっている。また、１次回折光の強度は０次回折光の強度に対して１／１０程度にされる。
【００２８】
透明平板多重反射ビームスプリッタ１５は、回折格子１１により分割されコリメータレンズ１３で平行光にされた３ビームの各々について、透明平板を反射なしで透過する第１ビームと、透明平板の内面反射を２回行って出射される第２ビームとに分離させて、６ビームを形成するものである。この透明平板多重反射ビームスプリッタ１５は、入射面と出射面とのなす角度が０．０４度〜０．０６度（より具体的には０．０４９度）の平板形状であり、この傾斜により第１ビームの光軸と第２ビームとの光軸とに僅かな角度を生成し、光ディスク上での第１ビームの光スポットと第２ビームの光スポットとを僅かに離間させるようになっている。
【００２９】
このように入射面と出射面とに僅かな傾斜を有する透明平板は、ほぼ平行な透明平板を作製し、干渉測定により上記の角度を有する部分を見つけ出して、その部分を切り出すことで生成することが出来る。
【００３０】
図２に示すように、第１ビーム（Ｓ０１，Ｓ１１，Ｓ２１）と第２ビーム（Ｓ０２，Ｓ１２，Ｓ２２）とは、光ディスクＤの同一のデータトラックに沿った向きで、且つ、第１ビームＳ０１と第２ビームＳ０２との間隔が例えば３μｍ程度と非常に小さな間隔となるように分離される。また、ビームスプリッタ１５の板面を適切な光学特性に形成することで、第１ビームと第２ビームとの強度比が５：１〜２０：１、より好ましくは８：１〜１２：１、さらに好ましくは１０：１程度になるようにされている。
【００３１】
図３には、光センサ１９の受光面構成とセンサ信号処理回路の一部分の図を示す。
【００３２】
光センサ１９は、光ディスクＤに照射されて反射される６ビームの反射光のうち、０次回折光の第１ビームＳ０１の反射光を受光するＡ〜Ｄに４分割された受光面１９Ｌと、０次回折光の第２ビームＳ０２の反射光を受光する受光面１９Ｐと、一方の１次回折光の第１ビームＳ１１の反射光を受光するＥ，Ｆに２分割された受光面１９Ｍと、もう一方の１次回折光の第１ビームＳ２１の反射光を受光するＧ，Ｈに２分割された受光面１９Ｎとを備えている。
【００３３】
これらのうち、２ブロックの受光面１９Ｌ，１９Ｐで受光した０次回折光の第１ビームＳ０１および第２ビームＳ０２のセンサ信号により記録マークを再生するＲＦ信号が生成され、受光面１９Ｌの４分割領域Ａ〜Ｄの各センサ信号から非点収差法によりフォーカスエラー信号が生成され、受光面１９Ｍ，１９Ｎの各分割領域Ｅ，Ｆ，Ｇ，Ｈの各センサ信号から差動プッシュプル（ＤＰＰ：Differential Push Pull）法によりトラッキングエラー信号が生成されるようになっている。
【００３４】
これらのうち、フォーカスエラー信号とトラッキングエラー信号の生成方式については公知のものなので説明は省略する。なお、フォーカスエラー信号やトラッキングエラー信号を生成する方式としては、その他、種々の公知の方式を適用することも出来る。
【００３５】
この実施の形態の光ヘッド装置１には、記録マークを再生するＲＦ信号を生成する回路として、０次回折光の第１ビームを検出する受光面１９Ｌのセンサ信号（分割領域Ａ〜Ｄのセンサ信号の合計）を増幅するＲＦアンプ２１と、０次回折光の第２ビームを検出する受光面１９Ｐのセンサ信号を増幅するＲＦアンプ２２と、該ＲＦアンプ２２の出力のジッタを除去するローパスフィルタ２３と、この出力信号に所定の遅延を与える遅延回路２４と、第１ビーム側のＲＦアンプ２１の出力から第２ビーム側のＲＦアンプ２２の出力（ジッタ除去と遅延付加後の出力）を減算する演算回路２５とが設けられている。
【００３６】
なお、これらの回路は、光ヘッド装置１にプリント基板等を介して取り付けられる構成としても良いし、光ヘッド装置と配線接続される外部の回路基板上に設けられる構成としても良い。
【００３７】
遅延回路２４は、光ディスクに照射される０次回折光の第１ビームＳ０１と第２ビームＳ０２との距離を時間に換算した遅延時間を、第２ビームのセンサ信号に対して付加するものである。なお、第１ビームと第２ビームとの距離（例えば３μｍ）は、ビーム照射位置における光ディスクＤの線速度と上記の距離とから、距離を線速度で除算することで時間へ換算されるが、遅延回路２４の遅延時間は厳密にこの換算値と同一のものでなくても良い。例えば、低域ノイズの変動が緩やかなものであれば、遅延回路２４の遅延時間がビーム間距離を時間に換算した値から２倍程度ずれている場合でも、このずれはＲＦ信号を得る上で許容誤差とすることが出来る。
【００３８】
図４は、スーパーＲＥＮＳディスクの構成と記録再生の仕組みを説明する図、図５は、スーパーＲＥＮＳディスクのＣＮＲ特性を示すグラフである。
【００３９】
スーパーＲＥＮＳディスクＤは、図４に示すように、透明基板Ｄ１に、それぞれ保護膜Ｄ２，Ｄ２，Ｄ２を挟んで、例えば酸化銀薄膜など近接場光ＮＬを発生させる薄膜層Ｄ３と、近接場光ＮＬにより光マークを生成したり光マークに応じた光の散乱を行う記録層Ｄ４とを形成して構成されている。そして、透明基板Ｄ１側からレーザビームを照射することで薄膜層Ｄ３においてレーザ光の光スポットより径の小さな近接場光ＮＬを発生させ、この近接場光ＮＬが記録膜Ｄ４に達して光マークを形成したり、或いは予め形成されている光マークに応じた光散乱を行うようになっている。
【００４０】
このようなスーパーＲＥＮＳディスクＤにおいては、図５に示すように、薄膜層Ｄ３をレーザ光が進行しなければならないため、入射ビームの強度が一定値以上のときには反射ビームの信号対雑音比（ＣＮＲ）が高くなるが、一定値以下となると反射ビームの信号対雑音比が著しく低くなると云う非線形特性を有している。上述した０次回折光の第１ビームは信号対雑音比が高くなる強度に、０次回折光の第２ビームは信号対雑音比が低くなる強度に設定されている。
【００４１】
さらに、このスーパーＲＥＮＳディスクＤは、その反射光に低周波のノイズが現れるという特性を有しており、この低域ノイズは、光ディスクのレーザ光の照射位置に依存するとともに、入射ビームの強度が高いときと低いときとで同一の傾向で現れると考えられる。
【００４２】
図６は、図２の処理回路において再生信号から低域ノイズを除去する過程を示した説明図である。
【００４３】
スーパーＲＥＮＳディスクＤは上記のような特性を有しているため、０次回折光の第１ビームを検出する受光面１９Ｌ（図３参照）のセンサ信号は、図６（ａ）に示すように、記録マークによるＨｉ−Ｌｏの信号に振幅の大きな低域ノイズが重なったものとなる。
【００４４】
一方、０次回折光の第２ビームを検出する受光面１９Ｐのセンサ信号は、図６（ｂ）に示すように、記録マークによるＨｉ−Ｌｏの信号は殆んど無く低域ノイズのみが現れたものとなる。さらに、ＲＦアンプ２２の増幅率が適宜な値に設定され、ローパスフィルタ２３により記録マークによる高周波成分の信号が除去され、この信号が遅延回路２４により光スポットの距離分の時間だけ遅延されることで、遅延回路２４からの出力信号はＲＦアンプ２１の出力に現れた低域ノイズとほぼ同一のものとすることが出来る。
【００４５】
そして、演算回路２５によりこれらの信号を引き算することで、図６（ｃ）に示すように、低域ノイズが除かれて記録マークによるＨｉ−Ｌｏの信号のみが示されたＲＦ信号が生成されるようになっている。
【００４６】
以上のように、この実施の形態の光ヘッド装置１によれば、反射ビームに低域ノイズが現れるスーパーＲＥＮＳディスクであっても、パワーが低く第１ビームと僅かな距離だけ離れた第２ビームのセンサ信号によりこの低域ノイズを除去することができ、それにより正しい記録データの再生が出来るという効果が奏される。
【００４７】
また、第２ビームを生成するのに透明平板タイプのビームスプリッタ１５を用いているので、平行光線を互いの光軸が極僅かに傾いた２つのビームに分離するとともに、光ディスクＤの記録面において第１ビームの光スポットと第２ビームの光スポットとを非常に微小な間隔に配置することが出来る。そして、これらにより再生信号の低域ノイズを検出するのに最適な第２ビームを容易に生成することが出来るという効果が得られる。
【００４８】
また、第２ビームの信号に遅延を与える遅延回路を設けているので、０次回折光の第１ビームＳ０１と第２ビームＳ０２との距離分の時間のズレを縮めて、低域ノイズの除去をより各人つに行うことが出来るという効果が奏される。
【００４９】
また、透明平板多重反射ビームスプリッタ１５により、第１ビームと第２ビームの強度比を５：１〜２０：１（より好ましくは１０：１）としてビームを分離させることで、再生信号や誤差信号を得る上で必要な第１ビームの強度も確保できるし、さらに、低域ノイズを検出する上で最適となる第２ビームの強度を得ることが出来る。
【００５０】
なお、本発明は、上記実施の形態に限られるものではなく、様々な変更が可能である。例えば、レーザビームを第１ビームと第２ビームとに分離するビームスプリッタ１５として透明平板形状のものを例示したが、この形状に限られず、例えば多角柱形状のプリズムなどを用いることも出来る。また、このビームスプリッタ１５の配置も、例えばコリメータレンズ１３と対物レンズ１７との間すなわち進行ビームがほぼ平行光線となって進行する箇所であればどの位置に配置してもよい。
【００５１】
また、再生信号のＣＮＲに非線形特性を有する光ディスクとしてスーパーＲＥＮＳディスクを例示したが、同様の特性を有する光ディスクであればどのようなものに適用しても良い。
【図面の簡単な説明】
【００５２】
【図１】本発明の実施の形態の光ヘッド装置の光学系の構成を示す図である。
【図２】光ヘッド装置により光ディスクに照射される光スポットの具体例を示す斜視図である。
【図３】図１の光センサの受光面構成とセンサ信号の処理回路の一部を示す図である。
【図４】スーパーＲＥＮＳディスクの構成と記録再生の仕組みを説明する図である。
【図５】スーパーＲＥＮＳディスクのＣＮＲ特性を示すグラフである。
【図６】図２の処理回路において再生信号から低域ノイズが除去される過程を示した説明図である。
【符号の説明】
【００５３】
１      光ヘッド
１０    半導体レーザ
１１    回折格子
１２    偏光ビームスプリッタ
１３    コリメータレンズ
１４    １／４波長板
１５    透明平板多重反射ビームスプリッタ
１６    立上げミラー
１７    対物レンズ
１８    検出レンズ
１９    光センサ
１９Ｌ〜１９Ｎ，１９Ｐ  受光面
２１，２２  ＲＦアンプ
２３    ローパスフィルタ
２４    遅延回路
２５    演算回路
Ｓ０１    ０次回折光の第１ビーム
Ｓ０２    ０次回折光の第２ビーム
Ｓ１１，Ｓ２１  １次回折光の第１ビーム
【図１】
2006244597.tif 000003
【図２】
2006244597.tif 000004
【図３】
2006244597.tif 000005
【図４】
2006244597.tif 000006
【図５】
2006244597.tif 000007
【図６】
2006244597.tif 000008